(57)【要約】  貨物マネジメントシステム用の構造的な取付けシステムは、ピックアップトラックの荷台の側壁と完全に一体化されているため、該荷台の側壁の最上部に沿った孔のアレイが、標準的なピックアップと異なる唯一の特徴部分である。当該貨物マネジメントシステムは、また、ピックアップトラックの荷台に取付けられる広範な異なるアクセサリーも有しており、それらアクセサリーは構造用フックを有しており、該フックは、当該構造的な取付けシステムによって保持、解放されるように構成されている。付加的には、当該構造的な取付けシステムは、ピックアップトラックの荷台の最後尾の位置にある作動用ハンドルによって、単一の位置での単純な保持と解放の方式を提供する。当該構造的な取付けシステムの構造は、多大な構造保持の力を、前記構造用フックを介して、アクセサリーからピックアップトラックの荷台の側壁へと伝達するのを可能とする。【選択図】図７
2011519766.tif 000002
【特許請求の範囲】
【請求項１】
ピックアップトラックの荷台用の構造的な取付けシステムであって、当該システムは、
ａ）城郭状の保持レールを有し、該保持レールは、ピックアップトラックの荷台の長手に延び、かつ、該ピックアップトラックの荷台の側壁の最上部と一体化されており、
ｂ）前記城郭状の保持レールは、ロッキング開口部を有する構成とされており、該ロッキング開口部は、対応する構造用フックを受け入れるように構成されており、
ｃ）スライドするロックレールを有し、該スライドするロックレールは、前記城郭状の保持レールの内部に位置しており、かつ、前記城郭状の保持レールの主軸線に対して平行に、予め定められた距離だけ、自由に平行移動しながらも、他の全ての自由度については構造的に規制されるように構成されており、
ｄ）前記スライドするロックレールは、その平行移動の第１の限度においては、前記構造用フックを構造的に保持するように、かつ、その反対側にある平行移動の第２の限度においては、前記構造用フックを解放し得るように構成されており、
ｅ）作動用ハンドルとリンク装置とを有し、これらは、前記の予め定められた距離を通じて、前記スライドするロックレールに前記の平行移動を与える、単一地点でのユーザー操作方式を提供するように構成されており、
前記構造用フックは、前記ピックアップトラックの荷台に取付けられる様々な異なるアクセサリーに一体化されて、前記作動用ハンドルの動きによってそれらアクセサリーの構造的な保持と単純な解放とを行うことができるように構成されている、
前記構造的な取付けシステム。
【請求項２】
前記作動用ハンドルと前記リンク装置が、前記ピックアップトラックの荷台の側壁の最後尾に位置している、請求項１記載の構造的な取付けシステム。
【請求項３】
前記ピックアップトラックの荷台がテールゲートを備えており、該テールゲートは、開ポジションと閉ポジションとの間で回転するように構成されており、かつ、該テールゲートは、安全保護ポケットを有する構成とされており、前記ピックアップトラックのテールゲートがその閉ポジションにある場合には、当該構造的な取付けシステムの作動を妨げるように、該安全保護ポケットが前記作動用ハンドルと相互作用するように構成されている、請求項２記載の構造的な取付けシステム。
【請求項４】
前記城郭状の保持レールが、ボルト留め、溶接、接着、リベット打ち、または、それに類する締結手段によって、前記の荷台の側壁に固定的に取付けられている、請求項１記載の構造的な取付けシステム。
【請求項５】
前記スライドするロックレールが、ベアリングパッドによって、前記城郭状の保持レールの主軸線に対して平行な自由度以外のあらゆる自由度については、構造的に規制されており、該ベアリングパッドは、良好な圧縮強度と低い摩擦係数とを有する材料から製造されている、請求項１記載の構造的な取付けシステム。
【請求項６】
前記ベアリングパッドが、鉱物質充填された、ナイロンまたはアセタールといったプラスチック材料から製造されている、請求項５記載の構造的な取付けシステム。
【請求項７】
前記スライドするロックレールが、スロット造作部を含んでおり、該スロット造作部は、前記ロッキング開口部を閉じて、前記構造用フックを構造的に保持するように構成されている、請求項１記載の構造的な取付けシステム。
【請求項８】
前記ピックアップトラックの荷台が、一対の城郭状の保持レール、一対のスライドするロックレール、および、一対の作動用ハンドルとリンク装置とを備えており、それらは、それぞれ、ピックアップトラックの荷台の２つの側壁のうちの１つの内側に位置している、請求項１記載の構造的な取付けシステム。
【請求項９】
ピックアップトラックの荷台用の構造的な取付けシステムであって、当該システムは、
ａ）城郭状の保持レールを有し、該保持レールは、ピックアップトラックの荷台の長手に延び、かつ、該ピックアップトラックの荷台の側壁の最上部と一体化されており、
ｂ）前記城郭状の保持レールは、ボルト留め、溶接、接着、リベット打ち、または、それらに類する締結手段によって、前記荷台の側壁に固定的に取付けられており、かつ、前記城郭状の保持レールは、ロッキング開口部を有する構成とされており、該ロッキング開口部は、対応する構造用フックを受け入れるように構成されており、
ｃ）スライドするロックレールを有し、該スライドするロックレールは、前記城郭状の保持レールの内部に位置しており、かつ、前記城郭状の保持レールの主軸線に対して平行に、予め定められた距離だけ、自由に平行移動しながらも、ベアリングパッドによって他の全ての自由度については構造的に規制されるように構成されており、該ベアリングパッドは、鉱物質充填された、ナイロンまたはアセタールといったプラスチック材料から製造されており、
ｄ）前記スライドするロックレールは、スロット造作部を含んでおり、該スロット造作部は、前記スライディングレールの平行移動の第１の限度においては、前記ロッキング開口部を閉じて前記構造用フックを構造的に保持するように構成されており、かつ、その反対側にある平行移動の第２の限度においては、前記構造用フックを解放し得るように構成されており、
ｅ）作動用ハンドルとリンク装置とを有し、これらは、前記ピックアップトラックの荷台の側壁の最後尾に位置しており、前記の予め定められた距離を通じて、前記スライドするロックレールに前記の平行移動を付える、単一地点でのユーザー操作方式を提供するように構成されており、
前記構造用フックは、前記ピックアップトラックの荷台に取付けられる様々な異なるアクセサリーに一体化されて、前記作動用ハンドルの動きによってそれらアクセサリーの構造的な保持と単純な解放とを行うことができるように構成されている、
前記構造的な取付けシステム。
【請求項１０】
前記ピックアップトラックの荷台がテールゲートを備えており、該テールゲートは、開ポジションと閉ポジションとの間で回転するように構成されており、かつ、該テールゲートは、安全保護ポケットを有する構成とされており、前記ピックアップトラックのテールゲートがその閉ポジションにある場合には、当該構造的な取付けシステムの作動を妨げるように、該安全保護ポケットが前記作動用ハンドルと相互作用するように構成されている、請求項９記載の構造的な取付けシステム。
【請求項１１】
前記ピックアップトラックの荷台が、一対の城郭状の保持レール、一対のスライドするロックレール、および、一対の作動用ハンドルとリンク装置とを備えており、それらは、それぞれ、ピックアップトラックの荷台の２つの側壁のうちの１つの内側に位置している、請求項９記載の構造的な取付けシステム。
【請求項１２】
前記ピックアップトラックの荷台がテールゲートを備えており、該テールゲートは、開ポジションと閉ポジションとの間で回転するように構成されており、かつ、該テールゲートは、一対の安全保護ポケットを有する構成とされており、前記ピックアップトラックのテールゲートがその閉ポジションにある場合には、当該構造的な取付けシステムの作動を妨げるように、それら安全保護ポケットが前記作動用ハンドルと相互作用するように構成されている、請求項１１記載の構造的な取付けシステム。
【発明の詳細な説明】
【技術分野】
【０００１】
発明の分野
本発明は、ピックアップトラック用の貨物マネジメントシステム(cargo management system、貨物対処システム)に関し、より詳細には、ピックアップの荷台における広範なアクセサリー(装備品)の保持を容易にする構造的な取付けシステムに関する。
【背景技術】
【０００２】
発明の背景
ピックアップトラックの荷台に取付けられるアクセサリーは一般的であって、バイク ラック(bike racks、自転車取付台)、ツール ボックス、荷台仕切り具(ベッド ディバイダー)、トノ カバー(tonneau cover、荷台蓋)、キャンパー トップ（camper top、キャンピング用主部）、運転席窓ガード、および、荷物縛り付け具(load tie-downs)などといったような、広範な用途を含んでいる。これらのアクセサリーは、ピックアップトラックの有用性を著しく向上させ、ピックアップトラックの元々の備品の製造業者、および、多くのアフターマーケットの供給元の両方から入手できる。この幅広い利用性にも関わらず、ピックアップトラックの荷台へのアクセサリーの標準的な取付け方法は、全く採用されてこなかった。トノ カバーやキャンパー トップといったような、多くの利用可能なアクセサリーは、半永久的なものと見なされ、ピックアップトラックの荷台の側壁に固定的(rigidly)にボルト留めされる。この半永久的な取付けは、代替的なアクセサリーの付加の柔軟性を著しく減小させる。例えば、防水カバーが既にあれば、バイク ラックの取付けは大仕事となってしまうであろう。
【０００３】
ピックアップトラックの荷台に取付けられる一時的と考えられるアクセサリー、即ち、バイク ラックまたは荷台仕切り具のようなものは、多くの取付けの方法論を利用しており、それらは、単純な摩擦クランプから、個々のねじ切りされたクランプ、レールとクランプのシステムにまで及んでいる。レールとクランプのシステムは、単純な摩擦クランプや個々のねじ切りされたクランプよりもかなり後に開発されたが、現在では、アクセサリーの取付けの一般的な方法となっている。当該技術分野において記述された多くのレールとクランプのシステムがあり、原製品の製造者(original equipment manufacturers)によって利用されるものもあるし、アフターマーケットの供給元から入手できるものもある。原製品の製造者は、自分たちのピックアップトラックで使用するためのレールとクランプのシステムを標準化する傾向があるが、原製品の製造者同士の間では共通性がなく、アフターマーケット産業には多くの異なる構成が存在する。加えて、入手できるレールとクランプのシステムは、いずれも何らかの種類の欠点を抱えている。
【０００４】
先行技術には、ピックアップトラックの荷台にアクセサリーを取付けるためのシステムの解決策（ソリューション）を提供する多くの方法が開示されている。Ellisに対するUS3664704には、ピックアップトラックのボディのためのアクセサリーのコンポーネントの一体化システムが記載されており、該システムは、ツールや燃料などの貯蔵において最大の利便性および有用性を提供しつつ、トラックのボディ内に可能な最小の空間を利用するように作られている。該アクセサリーのコンポーネントは、コンポーネントの望ましくない移動やズレが排除されるように、互いに結び付けられ、トラックのボディに固定される。US3664704には、アクセサリーをピックアップトラックに取付けるためのシステムの解決策が記載されているが、その取付け方法は、ピックアップのボディへの直接的な従来式のボルト留め、あるいは、連結レール(tie rail)のシステムへの従来式のボルト留めのいずれかから構成される。この先行技術の構成におけるアクセサリーの取付けおよび取外しは、困難であり時間のかかる仕事だろう。
【０００５】
Derecktorに対するUS5494327には、スライド連結(sliding connection)からなるレールクランプ型のシステムが記載されており、該システムは、ピックアップトラックの側壁に高架ラック(オーバーヘッド ラック)などを取外し可能にかつ調節可能に取付けるのに特に適したものである。そのスライド連結は、ピックアップトラックの側壁に取付け可能な軌道(track)と、スライドするロック部材とを有し、それが、高架ラック、キャップ、トノ カバー、貨物保持装置、ツールボックス、万力、および、のこぎり等の備品を支持するように構成される。このようにして、先行技術であるUS5494327は、従来式のボルト留めの必要性を取り除くことで取付けを単純化するレールクランプ型の構成を導入することにより、US3664704の取付けおよび取外しの制約を解決している。しかしながら、US5494327のスライド連結は、前記レールが側壁の外側に取付けられるため、ピックアップトラックの構造体に完全には一体化されていない。加えて、前記スライディングロック部品はレールにクランプ留めされ、確実にロックされた構造的な連結を提供しない。US5494327のさらなる制約は、各アクセサリーが、それぞれの固有のスライディングロック部品を必要とするため、該システムを操作するためにユーザーは荷台の周囲を歩き回るか、または、荷台に登って入る必要があるということである。
【０００６】
Beeneらに対するUS6481604では、ピックアップのボディにアクセサリーを取付けるために従来式のボルト留めの使用が必要であるということを排除することによって、US3664704の取付けおよび取外しの制約を克服している。また、単一のロック部品も提供されており、それは、システムを操作するために操作者が荷台の周囲を歩き回ったり、荷台に登ったりする必要がないという点で、US5494327の制約の一つを克服している。US6481604には車両ラックが記載されており、該車両ラックは、複数の開口部を有し、該開口部は、ピックアップトラックの荷台上で、取付けペグを有する異なるアクセサリーを支持する。該車両ラックは、また、複数の保持アームをも有し、該保持アームのそれぞれは、ピックアップトラックの荷台の柱用ポケット(stake pocket)内に受け入れられる。このようにして、US6481604は、ピックアップトラックの荷台上に、取付けペグを有する異なるアクセサリーを支持する車両ラックを提供し、また、該車両ラックが容易に取付けられ、ピックアップトラックの荷台から取外されるのを可能にしている。しかしながら、US6481604のアクセサリー取付けシステムは、ピックアップトラックの構造体に完全には一体化されておらず、使用しないときには取外されるように構成されている。US6481604の貨物マネジメントシステムのさらなる制約は、２つのラックへの同時の据え付けのアクセスを、取付けペグが妨害するので、剛性を有する幅いっぱいのアクセサリーを取付けることがうまく行くようになっていないということである。
【０００７】
別のレールクランプ型のシステムがAndersonらに対するUS6846140に記載されており、該システムは、先に参照した先行技術の一体化すること制約を実質的に克服している。US6846140には、柔軟な荷台の縛り具システムが記載されており、該システムは、いかなる時点においても、ユーザーが特定の必要性のために彼または彼女の車両を容易に改変し、調整し、カスタマイズし、適応させるのを可能とし、かつ、機能的、構造的、および、美的な観点から最適な様式で、トラックの残り部分と整合している。トラックのボディと一体化した単一または複数の縛り具レールは、レールの外側輪郭が、ボディの隣接する部分の輪郭から目につくほどには伸長しないようにして備えられる。このようにして、US6846140は完全に一体化されたシステムを提供する。加えて、US6846140は、ボディとレールとが大きな荷重を引き受けるように特に設計されていることを主張しているが、該システムの構造的な能力は、その取付け付属品によって現実的に制限されている。各アクセサリーは、それ自体の取付け付属品を必要とし、そのため、US6846140は、システムを操作するためにユーザーが荷台の周囲を歩き回るか、または、荷台に登って入る必要があるという点で、US5494327と同じ制約を抱えている。
【発明の概要】
【０００８】
発明の概説
従って、広範なアクセサリーの保持をうまくできるようにし、荷台に完全に一体化されており、単一地点での保持と解放の単純な方法を提供し、可能な最大のレベルの構造的な保持を提供することができる貨物（カーゴ）マネジメントシステムをピックアップトラックに提供することは有利であろう。それ故、本発明の目的は、１つの共通のインターフェースを介して、着想し得るあらゆるアクセサリーの取付けを可能とする、完全に一体化された貨物マネジメントシステムを、ピックアップトラックに提供することにある。これは、トノ カバーおよびキャンパー トップなどの半永久的なアクセサリー、ならびに、自転車ラックまたは荷台仕切り具といった一時的な設備を含む。荷台の側壁の内部に当該構造的な取付けシステムの主要部品を隠すことにより、本発明の貨物マネジメントシステムは、完全に一体化された構成となる。本発明の構造的な取付けシステムのさらなる目的は、荷台の側壁の最後尾の位置における、保持と解放の操作の単一地点を提供することである。このようにして、アクセサリーの取付けと取外しは著しく単純化され、概しては、作業者が荷台に入る必要がなく、また、不適正な貨物の固定が回避される。本発明の構造的な取付けシステムは、また、各アクセサリーとの確実な構造的な噛み合い(インターロック)を作り出す個別のロッキング(locking)開口部を提供することにより、先行技術の構成に対して保持する荷重の限界(threshold)を著しく向上させる。
【０００９】
本発明の構造的(structural)な取付けシステムは、ピックアップトラックの荷台の側壁の最上部の内側に、城郭状の保持レールを構造的に一体化している。該城郭状の保持レールは、前記荷台の長手に延び、一定の横断面を持ち、かつ、その長手に沿って予め定められた間隔でロッキング開口部を含んでおり、該ロッキング開口部は、前記荷台の側壁の最上部(top)にある対応する穴と位置が合っている。本発明の好ましい実施形態では、前記城郭状の保持レールは、ロール成形を用いて高強度鋼(high strength steel)から製造され、かつ、荷台の側壁に溶接される。本発明は、また、スライドするロックレール(sliding lock rail)を含み、該スライドするロックレールは、前記城郭状の保持レールの内部に嵌り合う（フィットする）ように構成され、前記城郭状の保持レールの横断面の形状に概して適合すると同時に、前記荷台の長手に延びてもいる。前記スライドするロックレールは、前記城郭状の保持レールの主軸線に平行に、予め定められた距離だけ自由に平行移動するが、他の全ての自由度については構造的に規制されるように構成されている。前記スライドするロックレールは、スロット造作部を含んでおり、該スロット造作部は、前記スライドするロックレールがその平行移動の一方の限度にある場合には、前記城郭状の保持レールのロッキング開口部を閉じるように構成され、かつ、その平行移動の反対側の限度にある場合には、前記ロッキング開口部を開くように構成されている。当該構造的な取付けシステムは、また、ハンドルとリンク装置とを有し、これらハンドルとリンク装置は、前記ピックアップトラックの荷台の側壁の最後尾に位置しており、前記予め定められた距離を通じて、前記スライドするロックレールに前記の平行移動を与える、ユーザー操作方式(user operated method)を提供するように構成されている。付加的には、本発明の貨物マネジメントシステムは、ピックアップトラックの荷台に取付けられる広範に異なるアクセサリーを有し、それらアクセサリーには構造用フックが組み込まれ、該構造用フックは、前記の城郭状の保持レールのロッキング開口部に受け入れられるように構成されている。前記ロッキング開口部は、開かれているときには前記構造用フックを容易に受け入れるが、閉じられているたときには該構造用フックを構造的に保持する。
【００１０】
このように、貨物マネジメントシステム用の構造的な取付けシステムは、ピックアップトラックの荷台の側壁に完全に一体化されているため、本発明の構造的な取付けシステムを備えていない標準的なピックアップと異なる唯一の特徴は、荷台の側壁の最上部にある穴である。付加的には、本発明の構造的な取付けシステムは、ピックアップトラックの荷台の最後尾の位置にある作動用ハンドルによって、単一の位置での単純な保持と解放の方式を提供し、前記構造用フックによって、アクセサリーからの多大な構造保持の力を、ピックアップの荷台の側壁に伝達することができる。本発明の好ましい実施形態では、前記ピックアップトラックの荷台は、一対の城郭状の保持レールと、一対のスライドするロックレール、および、一対の作動用ハンドルとリンク装置とを備えており、それらはそれぞれに、ピックアップトラックの荷台の２つの側壁のうちの一方に位置している。この好ましい実施形態では、アクセサリーは、１つの側あたり少なくとも１つの構造用フックによって、対向する荷台の側壁に取付けられてもよい。このようにして、ツールボックスおよび荷台仕切り具などのピックアップトラックの荷台の幅を持ったアクセサリーが、本発明の構造的な取付けシステムによって保持され得る。本発明の構造的な取付けシステムは、２つの構造用フックを介して、地面からのピックアップトラックの全重量を保持する能力を有する。
【００１１】
本発明の好ましい実施形態では、前記のピックアップトラックの荷台は、テールゲートを備えており、該テールゲートは、開いた位置と閉じた位置との間で回転するように構成されており、かつ、一対の安全保護ポケットを有する構成とされており、該安全保護ポケットは、前記テールゲートが閉ポジションにある場合には、前記作動用ハンドルの動きが規制されるように、該作動用ハンドルの外端と相互作用する。このようにして、本発明の構造的な取付けシステムは、ロッキング開口部が閉じられ、前記構造用フックが完全に保持されているときには、操作を妨げられ得る。ピックアップトラックのテールゲートの大多数が、キーとラッチのシステムによってロック可能であるため、前記安全保護ポケットによって、当該構造的な取付けシステムが、車両の安全保護の前記の態様を利用することを可能とする。
【００１２】
本発明のさらなる特徴は、以下の説明から明らかとなるであろう。
【図面の簡単な説明】
【００１３】
図面の簡単な説明
【図１】図１は、本発明の構造的な取付けシステムが据え付けられたピックアップトラックの斜視図である。
【図２】図２は、本発明の構造的な取付けシステムのメカニズムの部分切り欠き斜視図である。
【図３】図３は、非ロック状態で示された本発明の構造的な取付けシステムの斜視図である。
【図４】図４は、ロック状態で示された本発明の構造的な取付けシステムの斜視図である。
【図５】図５は、ロック状態で示された本発明の構造的な取付けシステムの好ましい実施形態の斜視図である。
【図６】図６は、ピックアップトラックの荷台の側壁の長手方向の軸に対して垂直に取った、本発明の構造的な取付けシステムの断面図である。
【図７】図７は、本発明の構造的な取付けシステムによって、アクセサリーのツールボックスが据え付けられかつ保持された、ピックアップトラックの斜視図である。
【図８】図８は、本発明の構造的な取付けシステムからアクセサリーのツールボックスが取外された、ピックアップトラックの斜視図である。
【図９】図９は、本発明の構造的な取付けシステムによって、アクセサリーの自転車ラックが据え付けられかつ保持された、ピックアップトラックの斜視図である。
【図１０】図１０は、本発明の構造的な取付けシステムによってアクセサリーの荷台仕切り具が据え付けられかつ保持された、ピックアップトラックの斜視図である。
【発明を実施するための形態】
【００１４】
発明の詳細な説明
図１を参照すると、ピックアップトラック（１）が、荷台（カーゴ・ベッド）（２）と、テールゲート（３）とを有し、該テールゲートは、開ポジションと閉ポジションとの間で回転するように構成されており、かつ、該ピックアップトラックは、一対の荷台の側壁（１０）、（１１）を有している。該荷台の側壁（１０）、（１１）は、それらの最上部の表面に沿って、複数の貨物マネジメント用アクセス孔（２０）を含んでいる。これらの貨物マネジメント用アクセス孔（２０）は、おおよそ１５０ｍｍの予め定められた間隔をおいて均等に配置されており、おおよそ５０ｍｍの長さである。明確性のために、右手側の荷台の側壁（１１）に焦点を合わせて、図１、２および３を参照すると、城郭状の(castellated、キャストレイテッド、城砦壁形状とされた)保持レール（２２）が、荷台の側壁（１１）の内側に含められ、ボルト留め、溶接、接着、リベット留め、または類似の締結手段によって、荷台の側壁（１１）に固定的に取付けられている。該城郭状の保持レール（２２）は、荷台（２）の長手(length)に延びており、一定の横断面となっており、かつ、長手に沿って予め定められた間隔をおいたところにロッキング開口部（２３）を含んでおり、該ロッキング開口部は、荷台の側壁（１１）の貨物マネジメント用アクセス孔（２０）と位置が合っている。スライドするロックレール（２５）が、城郭状の保持レール（２２）の内部にはまり合うように構成され、城郭状の保持レール（２２）の横断面の形状に適合し、かつ、荷台（２）の長手に延びている。該スライドするロックレール（２５）は、城郭状の保持レール（２２）の主軸線に平行に、予め定められた距離だけ自由に平行移動する一方で、ベアリングパッド（２６）のアレイによって、他のあらゆる自由度については構造的に規制されるように構成されており、該ベアリングパッド（２６）は、スライドするロックレール（２５）に固定的(rigidly)に取付けられているが、城郭状の保持レール（２２）の内面上を摺動するように構成されている。該ベアリングパッド（２６）は、鉱物質充填(mineral filled)されたナイロンやアセタールのような、良好な圧縮強度と低い摩擦係数とを有するプラスチック材料から製造される。スライドするロックレール（２５）は、スロット造作部(slot features、溝状孔形態部)（２７）を含んでおり、それらスロット造作部は、図２に示されるように、スライドするロックレール（２５）がその平行移動の一方の限度にあるときには、城郭状の保持レール（２２）のロッキング開口部（２３）を閉じるように、および、図３に示されるように、その平行移動の反対側の限度においては、前記ロッキング開口部を開くように構成されている。作動用ハンドル（３０）は、リンク(linkage)システム（２８）によって、予め定められた距離にわたって、スライドするロックレール（２５）を平行移動させるように構成されている。該リンクシステム（２８）は、作動用ハンドル（３０）が９０度移動すると、スライドするロックレール（２５）の予め定められた平行移動の距離が達成されるように構成されている。リンクシステム（２８）は、付加的には、図２に示されるように作動用ハンドル（３０）が水平でかつ後ろに向いているときには、ス��ット造作部（２７）が城郭状の保持レール（２２）のロッキング開口部（２３）を閉じるように、および、図３に示されるように作動用ハンドル（３０）が鉛直でかつ上に向いているときにはスロット造作部（２７）が城郭状の保持レール（２２）のロッキング開口部（２３）を開くように構成されている。
【００１５】
図３を参照すると、取付け前の構造用(structural)フック（４０）が示されている。作動用ハンドル（３０）は、それが鉛直の向きになっているのを示しているため、スライドするロックレール（２５）のスロット造作部（２７）は、城郭状の保持レール（２２）のロッキング開口部（２３）を開いている。該構造用フック（４０）は、溝（４１）と隔離(isolation)パッド（４２）を有する。図３に示されるように、該構造用フック（４０）は、また、縛り付け造作部(tie-down feature)（５０）を有しており、該縛り付け造作部は、ロープ、ストラップフック、または、それらに類する貨物保持手段を受け入れるように構成されている。該構造用フック（４０）は、ロッキング開口部（２３）内に容易に装着(install)するように、かつ、城郭状の保持レール（２２）のロッキング開口部（２３）の内側エッジと相互作用(interact)する溝（４１）と隔離パッド（４２）とによって、一時的に保持されるように構成されている。図４は、ロッキング開口部（２３）の１つに取付けられた構造用フック（４０）を示しており、作動用ハンドル（３０）は、その水平の向きで示されているため、スライドするロックレール（２５）のスロット造作部（２７）は、城郭状の保持レール（２２）のロッキング開口部（２３）を閉じている。ロッキング開口部（２３）が閉じられると、該構造用フック（４０）は、城郭状の保持レール（２２）に完全に構造的に保持され、多大な力が縛り付け造作部（５９）からピックアップトラックの荷台の側壁（１１）へと伝達され得る。
【００１６】
このようにして、貨物マネジメントシステム用の構造的な取付けシステムは、ピックアップトラック（１）の荷台の側壁（１１）に完全に一体化されているため、本発明の構造的な取付けシステムを備えていない標準的なピックアップと異なる唯一の特徴は、貨物マネジメント用アクセスホール（２０）である。付加的には、本発明の構造的な取付けシステムは、ピックアップトラックの荷台の最後尾の位置にある作動用ハンドル（３０）によって、単一の位置での単純な保持および解放の方法を提供し、また、城郭状の保持レール（２２）を介して、構造用フック（４０）からの多大な構造保持の力をピックアップの荷台の側壁（１１）に伝達することができる。本発明の好ましい実施形態では、ピックアップトラックの荷台は、一対の城郭状の保持レール（２２）と、一対のスライドするロックレール（２５）と、一対の作動用ハンドル（３０）と、一対のリンクシステム（２８）とを備えており、それらは、ピックアップトラックの荷台の２つの側壁（１０）、（１１）のうちの１つにそれぞれに位置している。この好ましい実施形態では、アクセサリーは、１つの壁あたり少なくとも１つの構造用フック（４０）によって、反対の荷台の側壁（１０）、（１１）に取付けられてもよい。このようにして、ツールボックスおよび荷台仕切り具などのピックアップトラックの荷台の幅があるアクセサリーが、本発明の構造的な取付けシステムによって保持され得る。本発明の構造的な取付けシステムは、２つの構造用フック（４０）によって、ピックアップトラック（１）の全重量を地面から離して保持する能力を有する。
【００１７】
図５は、本発明の好ましい実施形態を示しており、該実施形態では、テールゲート（３）が安全保護(security)ポケット（６０）を有しており、該安全保護ポケットは、テールゲート（３）がその閉ポジションにある場合に、作動用ハンドル（３０）の外端と相互作用するように構成されていて、該作動用ハンドル（３０）が運動を抑制されるようになっている。このようにして、本発明の構造的な取付けシステムは、ロッキング開口部（２３）が閉じられ、全ての構造用フック（４０）が完全に保持されているときには、操作を妨げられ得る。ピックアップトラックのテールゲートの大多数が、キーとラッチのシステムによってロック可能であるため、安全保護ポケット（６０）によって、当該構造的な取付けシステムが、車両の安全保護の前記の態様を利用することが可能になる。好ましい実施形態または本発明では、テールゲート（３）が、一対の安全保護ポケット（６０）を有する。
【００１８】
図６は、ロッキング開口部（２３）の１つを通過し、城郭状の保持レール（２２）の主軸線に対して垂直に取った断面を示している。当該構造的な取付けシステムは、スライドするロックレール（２５）がその平行移動の一方の限度にあるので、ロッキング開口部（２３）が閉じられている状態にて示されている。城郭状の保持レール（２２）は、複数のボルト（７０）および溶接ナット（７１）によって荷台の側壁（１１）に固定的に取付けられている。スライドするロックレール（２５）は、城郭状の保持レール（２２）の主軸線に平行に自由に（feely）平行移動するが、ベアリングパッド（２６）のアレイによって他のあらゆる自由度においては構造的に拘束されるように構成されており、該ベアリングパッド（２６）は、スライドするロックレール（２５）に固定的に取付けられているが、城郭状の保持レール（２２）の内表面（２９）上をスライドするように構成されている。該構造用フック（４０）は、ロッキング開口部（２３）において、溝（４１）と隔離パッド（４２）とを備えており、該溝と隔離パッドは、ロッキング開口部（２３）の内側エッジと相互作用する。該構造用フック（４０）は、縛り付け造作部（５０）を有しており、該縛り付け造作部は、ロープ、ストラップフック、または、それに類する貨物保持手段を受け入れるように構成されている。ロッキング開口部（２３）が閉じられると、構造用フック（４０）は、城郭状の保持レール（２２）において完全に構造的に保持され、多大な力を縛り付け造作部（５０）からピックアップトラックの荷台の側壁（１１）へ伝達することができる。
【００１９】
図７は、アクセサリーのツールボックス（８０）を保持するために使用されている本発明の構造的な取付けシステムを組み込んだピックアップトラック（１）を示している。該構造的な取付けシステムは、荷台の両方の側壁に一体に組み込まれており、作動用ハンドル（３０）が水平に向いた状態で示されているため、当該システムはロック状態にある。図８に示されるように、アクセサリーのツールボックス（８０）は、４つの構造用フック（４０）を有して構成されており、それにより、上述したようにして、保持および開放されるのが可能になっている。
【００２０】
図９は、アクセサリーである自転車ラック（９０）を保持するために使用されている本発明の構造的な取付けシステムを組み込んだピックアップトラック（１）を示している。該構造的な取付けシステムは、荷台の両方の側壁に一体に組み込まれており、作動用ハンドル（３０）が水平に向いた状態で示されているため、当該システムはロック状態にある。４つの構造用フック（４０）が、該アクセサリーである自転車ラック（９０）に組み込まれており、それにより、上述したようにして、保持および開放されるのが可能になっている。
【００２１】
図１０は、アクセサリーである荷台仕切り具（９１）を保持するために使用されている本発明の構造的な取付けシステムを組み込んだピックアップトラック（１）を示している。当該構造的な取付けシステムは、荷台の両方の側壁に一体に組み込まれており、作動用ハンドル（３０）が水平に向いた状態で示されているため、当該システムはロック状態にある。４つの構造用フック（４０）が、該アクセサリーである荷台仕切り具（９１）に組み込まれており、それにより、上述したようにして、保持および開放されるのが可能になっている。
【図１】
2011519766.tif 000003
【図２】
2011519766.tif 000004
【図３】
2011519766.tif 000005
【図４】
2011519766.tif 000006
【図５】
2011519766.tif 000007
【図６】
2011519766.tif 000008
【図７】
2011519766.tif 000009
【図８】
2011519766.tif 000010
【図９】
2011519766.tif 000011
【図１０】
2011519766.tif 000012
【国際調査報告】
2011519766.tif 000013
2011519766.tif 000014